(57)【要約】【課題】携帯型デジタルカメラを用いた印刷物の撮影など違法なデジタル万引きを防止するためのデジタルカメラ装置であり、撮影場所や位置での制限を行うのではなく、書籍毎、頁毎、記事毎などの撮影対象となり得る部分毎に撮像を制御し違法な撮影を防止する。【解決手段】赤外光（または紫外光）などの特殊光（非可視光）に反射して認識可能となる特殊インクにより、撮影禁止記号x1,x2,x3,…からなる撮影禁止マークＸを印刷した書籍などの印刷物（頁）Ｐを撮影対象（被写体）として撮影操作すると、光照射部により特殊光を照射して撮像部により撮像された画像データが解析されて当該画像データの中に撮影禁止記号x1,x2,x3,…の印刷があることが判断され、この場合には前記撮像された画像データは消去されて撮影禁止処理される。これにより、書籍毎、頁毎、記事毎などの撮影対象となり得る部分毎に撮影禁止制御してデジタル万引きなどの違法な撮影を防止する。【選択図】      図３
2006074211.tif 000002
【特許請求の範囲】
【請求項１】
被写体の画像を撮像する撮像手段と、
この撮像手段により撮像された被写体の画像データの中に可視光では認識できない特殊インクにより印刷された撮影制限情報が含まれるか否かを検出する制限情報検出手段と、
この制限情報検出手段により前記撮像された画像データの中から前記撮影制限情報が検出された場合には、前記撮像された被写体の画像データの画像メモリへの記憶を制限する画像記憶制限手段と、
前記制限情報検出手段により前記撮像された画像データの中から前記撮影制限情報が検出されない場合には、前記撮像された被写体の画像データを画像メモリへ記憶させる画像記憶制御手段と、
を備えたことを特徴とするデジタルカメラ装置。
【請求項２】
前記制限情報検出手段は、
前記撮像手段による被写体画像の撮像に際し、当該被写体に対し非可視光を照射する特殊光照射手段を有し、
前記特殊インクは、可視光では認識できず前記非可視光の照射により認識可能となるインクであることを特徴とする請求項１に記載のデジタルカメラ装置。
【請求項３】
デジタルカメラ装置のコンピュータを制御するための制御プログラムであって、
前記コンピュータを、
被写体の画像を撮像する撮像部を制御する撮像制御手段、
この撮像制御手段の制御により撮像された被写体の画像データの中に当該被写体に対し可視光では認識できない特殊インクにより印刷された撮影制限情報が含まれるか否かを検出する制限情報検出手段、
この制限情報検出手段により前記撮像された画像データの中から前記撮影制限情報が検出された場合には、前記撮像された被写体の画像データの画像メモリへの記憶を制限する画像記憶制限手段、
前記制限情報検出手段により前記撮像された画像データの中から前記撮影制限情報が検出されない場合には、前記撮像された被写体の画像データを画像メモリへ記憶させる画像記憶制御手段、
として機能させるようにしたコンピュータ読み込み可能なデジタルカメラ装置の制御プログラム。
【請求項４】
デジタルカメラ装置と当該デジタルカメラ装置での撮影を監視する撮影監視装置とからなる違法撮影防止システムであって、
前記デジタルカメラ装置は、
書籍撮影モードを設定するモード設定手段と、
このモード設定手段により書籍撮影モードが設定されてない場合には、シャッタ操作に伴うシャッタ音を発生させ、書籍撮影モードが設定されている場合には、シャッタ音の発生を阻止するシャッタ音制御手段と、
シャッタ操作に伴い被写体の画像を撮像する撮像手段と、
この撮像手段により撮像された被写体の画像データの中に撮影制限情報が含まれるか否かを検出する制限情報検出手段と、
この制限情報検出手段により前記撮像された画像データの中から前記撮影制限情報が検出された場合には、当該撮影制限情報に基づいて前記撮像された被写体の画像データの画像メモリへの記憶を制限し、前記制限情報検出手段により前記撮像された画像データの中から前記撮影制限情報が検出されない場合には、前記撮像された被写体の画像データをそのまま画像メモリへ記憶させる画像記憶制御手段とを備え、
前記撮影監視装置は、
カメラシャッタ音を検出するシャッタ音検出手段と、
このシャッタ音検出手段によりカメラシャッタ音が検出された場合に報知動作する撮影報知手段とを備えた、
ことを特徴とする違法撮影防止システム。
【請求項５】
前記デジタルカメラ装置は、さらに、
前記撮像手段により撮像された被写体の画像データの中に撮影課金情報が含まれるか否かを検出する課金情報検出手段と、
この課金情報検出手段により前記撮像された画像データの中から前記撮影課金情報が検出された場合には、当該撮影課金情報に応じた課金情報をカメラ識別子と共に撮影監視装置へ通知する課金情報通知手段とを備え、
前記撮影監視装置は、さらに、
前記デジタルカメラ装置の課金情報通知手段により通知されたカメラ識別子とその課金情報とを記憶する課金情報記憶手段と、
前記カメラ識別子の入力に応じて、前記課金情報記憶手段により記憶された課金情報に基づいた撮影課金額をレジ表示部に表示させるレジ表示制御手段とを備えた、
ことを特徴とする請求項４に記載の違法撮影防止システム。
【請求項６】
前記撮影制限情報および撮影課金情報は、それぞれ異なる形状のマークであり、
前記撮影課金情報に応じた課金情報は、課金額とその支払先の情報を含み、
前記撮影監視装置は、さらに、
前記課金情報記憶手段により記憶された課金情報に基づいて支払先毎の累積金額を集計して出力する集計出力手段を備えた、
ことを特徴とする請求項５に記載の違法撮影防止システム。
【請求項７】
前記マークは、前記被写体に対し可視光では認識できず非可視光の照射により認識可能となる特殊インクにより印刷されたマークであり、
前記デジタルカメラ装置の制限情報検出手段および課金情報検出手段は、前記撮像手段による被写体画像の撮像に際し、当該被写体に対し非可視光を照射する特殊光照射手段を有し、
前記画像記憶制御手段は、前記制限情報検出手段により前記撮像された画像データの中から前記撮影制限情報のマークが検出された場合には、当該撮影制限情報のマークに基づいて前記撮像された被写体の画像データの画像メモリへの記憶を制限し、前記制限情報検出手段により前記撮像された画像データの中から前記撮影課金情報のマークが検出された場合には、前記撮像された被写体の画像データを当該撮影課金情報のマーク画像のみを除いて画像メモリへ記憶させ、前記制限情報検出手段により前記撮像された画像データの中から前記撮影制限情報および前記撮影課金情報の何れのマークも検出されない場合には、前記撮像された被写体の画像データをそのまま画像メモリへ記憶させる、
ことを特徴とする請求項６に記載の違法撮影防止システム。
【請求項８】
前記画像記憶制御手段において前記撮像された被写体の画像データの中から前記撮影制限情報のマークが検出された場合の当該撮影制限情報のマークに基づいた該画像データの画像メモリへの記憶の制限は、撮影制限情報のマークが検出された部分の画像データを除いて画像メモリへ記憶させるように制限する、
ことを特徴とする請求項７に記載の違法撮影防止システム。
【発明の詳細な説明】
【技術分野】
【０００１】
本発明は、携帯型のデジタルカメラを用いた印刷物の撮影など、違法なデジタル万引きを防止するためのデジタルカメラ装置とその制御プログラム、および違法撮影防止システムに関する。
【背景技術】
【０００２】
近年、デジタルカメラの小型・高性能化は著しく、手のひらサイズの小型なデジタルカメラでも５メガピクセルもの高解像度を有するデジタルカメラが実用化されている。また、デジタルカメラ付きの携帯電話や携帯端末にあっても、既に２メガピクセルもの高解像度を実現しており、何時でも何処でも誰でもが、様々な種類の画像を非常に簡単な操作でしかも高画質で撮影できるようになっている。
【０００３】
このため、一部の悪意あるユーザや悪意が無くても違法とは気付かないユーザによって、例えば書店に陳列された本や画集，写真集などの印刷物を撮影して持ち出してしまう、所謂デジタル万引きが発生している。
【０００４】
そして、このようなデジタル万引きを防止するためのシステムとして、書店や美術館など、予め定められた撮影禁止エリアにおいてカメラ付き携帯電話などに対する撮影制限信号を送信し、この撮影禁止エリア内に入ったカメラ装置が前記制限信号を受信することでその撮影機能のみを制限するようにした映像取得制限システムや携帯型電気機器の自動制御システムが提案されている（例えば、特許文献１、特許文献２参照。）。
【０００５】
また、予め定められた撮影制限エリアの位置情報を記憶しておき、ＧＰＳ(Global Positioning Systems)により得られた現在位置情報から前記制限エリア内にあると判断された場合に撮影禁止の制御を行うようにした画像記録再生装置も提案されている（例えば、特許文献３参照。）。
【特許文献１】特開２０００−１５２２１７号公報
【特許文献２】特開２００２−１３５８３８号公報
【特許文献３】特開２００３−１９８９１８号公報
【発明の開示】
【発明が解決しようとする課題】
【０００６】
しかしながら、前記従来の映像取得制限システムや画像記録再生装置では、その何れもが、予め定められた撮影制限エリアにおいてカメラ撮影を禁止する制御を行うものであるため、当該制限エリア内にある全てのものが撮影禁止の対象となり、例えば撮影可および撮影不可の各書籍が混在するような場合、さらには、そこにある一冊の書籍について、カメラ撮影による持ち出しが何ら問題のないあるいは積極的な持ち出しを推奨したい頁や記事と、撮影を禁止したい頁や記事とが混在するような場合に、その撮影可および撮影不可の制御を書籍毎、頁毎、記事毎など個別に行うことができない問題がある。
【０００７】
本発明は、前記のような問題に鑑みなされたもので、撮影する場所や位置での制限を行うのではなく、書籍毎、頁毎、記事毎などの撮影対象となり得る部分毎に撮像を制御して違法な撮影を防止することが可能になるデジタルカメラ装置とその制御プログラム、および違法撮影防止システムを提供することを目的とする。
【課題を解決するための手段】
【０００８】
本発明の請求項１（請求項３）に記載のデジタルカメラ装置（制御プログラム）は、撮像手段により撮像された被写体の画像データの中に可視光では認識できない特殊インクにより印刷された撮影制限情報が含まれるか否かを制限情報検出手段によって検出し、この制限情報検出手段により前記撮像された画像データの中から前記撮影制限情報が検出された場合には、画像記憶制限手段によって前記撮像された被写体の画像データの画像メモリへの記憶を制限し、また、前記制限情報検出手段により前記撮像された画像データの中から前記撮影制限情報が検出されない場合には、画像記憶制御手段によって前記撮像された被写体の画像データを画像メモリへ記憶させる。
【０００９】
これによれば、撮影による持ち出しを禁止したい書籍などの印刷物の頁に対して可視光では認識不可能な特殊インクによって撮影禁止記号などの撮影制限情報を印刷しておくことで、本来の印刷内容を見る邪魔となることなくデジタルカメラ装置による違法な撮影持ち出しを防止できることになる。
【００１０】
本発明の請求項２に記載のデジタルカメラ装置は、前記請求項１に記載のデジタルカメラ装置にあって、前記制限情報検出手段は、前記撮像手段による被写体画像の撮像に際し、当該被写体に対し非可視光を照射する特殊光照射手段を有し、前記特殊インクは、可視光では認識できず前記非可視光の照射により認識可能となるインクである。
【００１１】
これによれば、撮像に伴い非可視光を照射することで、可視光では見えない被写体上の撮影制限情報を含めて撮像し、当該撮影制限情報を検出できることになる。
【００１２】
本発明の請求項４に記載の違法撮影防止システムは、デジタルカメラ装置と当該デジタルカメラ装置での撮影を監視する撮影監視装置とからなる違法撮影防止システムであって、デジタルカメラ装置は、シャッタ音制御手段によってモード設定手段により書籍撮影モードが設定されてない場合にはシャッタ操作に伴うシャッタ音を発生させ、書籍撮影モードが設定されている場合にはシャッタ音の発生を阻止する。そして、シャッタ操作に伴い撮像手段により撮像された被写体の画像データの中に撮影制限情報が含まれるか否かを制限情報検出手段によって検出し、この制限情報検出手段により前記撮像された画像データの中から前記撮影制限情報が検出された場合には、当該撮影制限情報に基づいて前記撮像された被写体の画像データの画像メモリへの記憶を制限し、前記制限情報検出手段により前記撮像された画像データの中から前記撮影制限情報が検出されない場合には、前記撮像された被写体の画像データをそのまま画像メモリへ記憶させる。
【００１３】
一方、撮影監視装置は、シャッタ音検出手段によってカメラシャッタ音が検出された場合には、撮影報知手段によって報知動作する。
【００１４】
これによれば、デジタルカメラ装置により書籍撮影モードを設定しないで書籍などの印刷物を撮影した場合には、そのカメラシャッタ音が撮影監視装置によって検出され書籍店の店主などに対して撮影のあることが報知されるので、販売書籍の違法な撮影による持ち出しを防止でき、また、書籍撮影モードを設定して撮影した場合に、被写体画像の中から撮影制限情報が検出されると、その撮影制限情報のある撮影画像の記憶は制限されるので、撮影を禁止したい頁部分や記事を対象に違法な撮影による持ち出しを阻止できることになる。
【００１５】
本発明の請求項５に記載の違法撮影防止システムは、前記請求項４に記載の違法撮影防止システムにあって、前記デジタルカメラ装置は、さらに、課金情報検出手段によって前記撮像手段により撮像された被写体の画像データの中に撮影課金情報が含まれるか否かを検出し、この課金情報検出手段により前記撮像された画像データの中から前記撮影課金情報が検出された場合には、課金情報通知手段によって当該撮影課金情報に応じた課金情報をカメラ識別子と共に撮影監視装置へ通知する。そして前記撮影監視装置は、さらに、課金情報記憶手段によって前記デジタルカメラ装置の課金情報通知手段により通知されたカメラ識別子とその課金情報とを記憶し、前記カメラ識別子の入力に応じて、前記課金情報記憶手段により記憶された課金情報に基づいた撮影課金額をレジ表示制御手段によってレジ表示部に表示させる。
【００１６】
これによれば、デジタルカメラ装置により撮像された被写体の画像データの中から撮影課金情報が検出された場合には、その課金情報がカメラ識別子と共に撮影監視装置に通知されて記憶され、当該カメラ識別子の入力に応じて該カメラ装置による撮影課金額がレジ表示されるので、撮影制限されなくても課金が必要な頁や記事について、カメラ撮影した分だけ課金されレジ表示によってカメラ撮影者に代金提示できることになる。
【００１７】
本発明の請求項６に記載の違法撮影防止システムは、前記請求項５に記載の違法撮影防止システムにあって、前記撮影制限情報および撮影課金情報は、それぞれ異なる形状のマークであり、前記撮影課金情報に応じた課金情報は、課金額とその支払先の情報を含み、前記撮影監視装置は、さらに、集計出力手段によって前記課金情報記憶手段により記憶された課金情報に基づいて支払先毎の累積金額を集計して出力する。
【００１８】
これによれば、書籍内で撮影制限や課金が必要な頁や記事の単位でそれぞれ異なる形状のマークを付しておくことで、デジタルカメラ装置での撮影に伴う撮影制限や課金を行うことができるばかりでなく、その課金により得られた代金の支払先毎に容易に累計金額を集計できることになる。
【００１９】
本発明の請求項７に記載の違法撮影防止システムは、前記請求項６に記載の違法撮影防止システムにあって、前記マークは、前記被写体に対し可視光では認識できず非可視光の照射により認識可能となる特殊インクにより印刷されたマークであり、前記デジタルカメラ装置の制限情報検出手段および課金情報検出手段は、前記撮像手段による被写体画像の撮像に際し、当該被写体に対し非可視光を照射する特殊光照射手段を有する。そして、前記画像記憶制御手段は、前記制限情報検出手段により前記撮像された画像データの中から前記撮影制限情報のマークが検出された場合には、当該撮影制限情報のマークに基づいて前記撮像された被写体の画像データの画像メモリへの記憶を制限し、前記制限情報検出手段により前記撮像された画像データの中から前記撮影課金情報のマークが検出された場合には、前記撮像された被写体の画像データを当該撮影課金情報のマーク画像のみを除いて画像メモリへ記憶させ、前記制限情報検出手段により前記撮像された画像データの中から前記撮影制限情報および前記撮影課金情報の何れのマークも検出されない場合には、前記撮像された被写体の画像データをそのまま画像メモリへ記憶させる。
【００２０】
これによれば、撮像に伴い非可視光を照射することで、可視光では見えない被写体上の撮影制限情報のマークおよび撮影課金情報のマークを含めて撮像し、当該各マークを検出できることになる。そして、撮像中の被写体画像から撮影制限情報のマークが検出された場合は該マークのある撮影画像の記憶が制限され、撮影課金情報のマークが検出された場合は該マーク画像のみ除いた撮像画像が記憶されるので、書籍内で撮影制限や課金が必要な頁や記事の単位でそれぞれ異なる形状のマークを付しても、本来の印刷内容を見る邪魔となることなくデジタルカメラ装置による違法な撮影持ち出しを防止できることになる。
【００２１】
本発明の請求項８に記載の違法撮影防止システムは、前記請求項７に記載の違法撮影防止システムにあって、前記画像記憶制御手段において前記撮像された被写体の画像データの中から前記撮影制限情報のマークが検出された場合の当該撮影制限情報のマークに基づいた該画像データの画像メモリへの記憶の制限は、撮影制限情報のマークが検出された部分の画像データを除いて画像メモリへ記憶させるように制限する。
【００２２】
これによれば、撮像中の被写体画像から撮影制限情報のマークが検出された場合は該マークのある画像部分のみ除いた撮像画像が記憶されるので、撮影を禁止したい頁や記事の一部を対象に違法な撮影による持ち出しを阻止できることになる。
【発明の効果】
【００２３】
本発明の請求項１（請求項３）に記載のデジタルカメラ装置（制御プログラム）によれば、撮影による持ち出しを禁止したい書籍などの印刷物の頁に対して可視光では認識不可能な特殊インクによって撮影禁止記号などの撮影制限情報を印刷しておくことで、本来の印刷内容を見る邪魔となることなくデジタルカメラ装置による違法な撮影持ち出しを防止できるようになる。
【００２４】
本発明の請求項２に記載のデジタルカメラ装置によれば、前記請求項１に記載のデジタルカメラ装置にあって、撮像に伴い非可視光を照射することで、可視光では見えない被写体上の撮影制限情報を含めて撮像し、当該撮影制限情報を検出できるようになる。
【００２５】
本発明の請求項４に記載の違法撮影防止システムによれば、デジタルカメラ装置により書籍撮影モードを設定しないで書籍などの印刷物を撮影した場合には、そのカメラシャッタ音が撮影監視装置によって検出され書籍店の店主などに対して撮影のあることが報知されるので、販売書籍の違法な撮影による持ち出しを防止でき、また、書籍撮影モードを設定して撮影した場合に、被写体画像の中から撮影制限情報が検出されると、その撮影制限情報のある撮影画像の記憶は制限されるので、撮影を禁止したい頁部分や記事を対象に違法な撮影による持ち出しを阻止できるようになる。
【００２６】
本発明の請求項５に記載の違法撮影防止システムによれば、前記請求項４に記載の違法撮影防止システムにあって、デジタルカメラ装置により撮像された被写体の画像データの中から撮影課金情報が検出された場合には、その課金情報がカメラ識別子と共に撮影監視装置に通知されて記憶され、当該カメラ識別子の入力に応じて該カメラ装置による撮影課金額がレジ表示されるので、撮影制限されなくても課金が必要な頁や記事について、カメラ撮影した分だけ課金されレジ表示によってカメラ撮影者に代金提示できるようになる。
【００２７】
本発明の請求項６に記載の違法撮影防止システムによれば、前記請求項５に記載の違法撮影防止システムにあって、書籍内で撮影制限や課金が必要な頁や記事の単位でそれぞれ異なる形状のマークを付しておくことで、デジタルカメラ装置での撮影に伴う撮影制限や課金を行うことができるばかりでなく、その課金により得られた代金の支払先毎に容易に累計金額を集計できるようになる。
【００２８】
本発明の請求項７に記載の違法撮影防止システムによれば、前記請求項６に記載の違法撮影防止システムにあって、撮像に伴い非可視光を照射することで、可視光では見えない被写体上の撮影制限情報のマークおよび撮影課金情報のマークを含めて撮像し、当該各マークを検出できるようになる。そして、撮像中の被写体画像から撮影制限情報のマークが検出された場合は該マークのある撮影画像の記憶が制限され、撮影課金情報のマークが検出された場合は該マーク画像のみ除いた撮像画像が記憶されるので、書籍内で撮影制限や課金が必要な頁や記事の単位でそれぞれ異なる形状のマークを付しても、本来の印刷内容を見る邪魔となることなくデジタルカメラ装置による違法な撮影持ち出しを防止できるようになる。
【００２９】
本発明の請求項８に記載の違法撮影防止システムによれば、前記請求項７に記載の違法撮影防止システムにあって、撮像中の被写体画像から撮影制限情報のマークが検出された場合は該マークのある画像部分のみ除いた撮像画像が記憶されるので、撮影を禁止したい頁や記事の一部を対象に違法な撮影による持ち出しを阻止できるようになる。
【００３０】
よって、本発明によれば、書籍毎、頁毎、記事毎などの撮影対象となり得る部分毎に撮像を制御して違法な撮影を防止することが可能になるデジタルカメラ装置とその制御プログラム、および違法撮影防止システムを提供できる。
【発明を実施するための最良の形態】
【００３１】
以下図面により本発明の実施の形態について説明する。
【００３２】
（第１実施形態）
図１は、本発明の第１実施形態に係るデジタルカメラ装置１０の電子回路の構成を示すブロック図である。
【００３３】
このデジタルカメラ装置１０は、制御部（ＣＰＵ）１１、記憶装置１２、ＲＡＭ１３、撮像部１４、光照射部１４ａ、画像メモリ１４ｂ、液晶表示部１５、入力部１６、音発生部１７、記憶媒体読み取り部１８、通信制御部１９より構成され、バス（Ｂｕｓ）を介して相互に接続される。
【００３４】
制御部（ＣＰＵ）１１は、入力部１２からの入力信号に応じて、記憶装置１２に予め記憶されているカメラ制御プログラム、あるいは小型メモリカードなどの外部記憶媒体１８ａから記憶媒体読み書き部１８を介して記憶装置１２に読み込まれたカメラ制御プログラム、あるいは通信制御部１９によるＰＣ（Personal Computer）２０との接続によって外部のコンピュータ端末（プログラムサーバ２１）の記憶装置２２から通信ネットワーク（インターネット）２０を経由し記憶装置１２に読み込まれたカメラ制御プログラムを起動させ、ＲＡＭ１３をワークメモリとして回路各部の動作を制御する。
【００３５】
記憶装置１２は、半導体メモリのＲＯＭやハードディスク装置ＨＤＤ等で構成し、本デジタルカメラ装置１０の電源投入直後に制御部（ＣＰＵ）１１により読み出される前述のカメラ制御プログラムを予め記憶している他に、本デジタルカメラ装置１０の固有なＩＤコードなどを記憶している。
【００３６】
図２は、前記第１実施形態のデジタルカメラ装置１０のＲＡＭ１３に確保されるデータメモリを示す図である。
【００３７】
ＲＡＭ１３には、撮影モードメモリ１３ａ、撮影禁止記号メモリ１３ｂなどが備えられる。撮影モードメモリ１３ａには、入力部１６によるユーザ操作に応じて設定される各種撮影モード（自動撮影、近接撮影、動体撮影など）の設定データが記憶される。撮影禁止記号メモリ１３ｂには、撮像部１４により撮像された撮影対象画像内に撮影禁止記号ｘが含まれているかを解析するためにその撮影禁止記号ｘの画像データ（図３（Ｃ）参照）が記憶される。
【００３８】
撮像部１４は、撮像レンズやＣＣＤおよびズーム・フォーカスの駆動調整機構などを備え、入力部１６によるシャッタ操作に応じて撮像レンズを通して結像される光学画像をＣＣＤ(Charge coupled device)により撮像してデジタル画像データに変換する。
【００３９】
光照射部１４ａは、前記シャッタ操作に伴い撮像部１４による撮像動作が行われる際に、赤外光（または紫外光などの非可視光）を発光し撮影方向に向けて照射する。この光照射部１４ａによる赤外光（非可視光）の照射は、当該赤外光（非可視光）により反射し通常の可視光には反射しない（反射し難い場合も含む）特殊インクにより印刷された画像を前記撮像部１４によって撮像するために行われる。
【００４０】
画像メモリ１４ｂには、前記撮像部１４により撮像された画像データがそのメモリ容量に応じた枚数分だけ記憶される。
【００４１】
表示部１５は、液晶表示のモニタ画面を備え、前記撮像部１４により撮像された画像の表示や各種撮影のためのガイドメッセージの表示、選択項目の表示などを行う。
【００４２】
入力部１６は、電源キー、撮影モード設定キー、シャッタキー、ズームキーなどの各種の操作キー（ボタン）を備える。
【００４３】
音発生部１７は、前記入力部１６のシャッタキーの操作に応じたシャッタ音“パシャ”など、各種のキー（ボタン）の操作に応じた操作確認音を電子音によって発生する。
【００４４】
図３は、前記第１実施形態のデジタルカメラ装置１０での撮影によってその撮影機能が制限される撮影禁止記号ｘを説明するための図であり、同図（Ａ）は印刷物Ｐを示す図、同図（Ｂ）は印刷物Ｐ上に特殊インクで印刷された撮影禁止マークＸを示す図、同図（Ｃ）は撮影禁止マークＸを構成する撮影禁止記号ｘｎを示す図である。
【００４５】
すなわち、書籍や画集、写真集などの印刷物Ｐにあって、例えば撮影画像としての持ち出しが禁止される頁などの撮影禁止部分には、予め定められた形の撮影禁止記号x1,x2,x3,…を連続させて構成される撮影禁止マークＸを、前記光照射部１４ａによって照射される赤外光（または紫外光）により反射し通常の可視光には反射しない（反射し難い場合を含む）特殊インクを使用して印刷する。
【００４６】
この場合、前記印刷物Ｐ上に印刷された撮影禁止マークＸは、赤外光（非可視光）により反射し通常の可視光には反射しない（反射し難い）ので、人間が肉眼で（はっきりと）見ることはできず、印刷物Ｐの本来の印刷内容の妨げとなることはない。
【００４７】
次に、このように構成された第１実施形態のデジタルカメラ装置１０による撮影機能について説明する。
【００４８】
図４は、前記第１実施形態のデジタルカメラ装置１０による撮影制御処理を示すフローチャートである。
【００４９】
デジタルカメラ装置１０によってユーザ所望の被写体の撮影を行う場合に、撮像部１４により被写体を捉えて入力部１６におけるシャッタキーを操作すると、当該被写体の光学画像に対する焦点調整処理が行われた後（ステップＳ１）、光照射部１４ａによって赤外光（または紫外光などの非可視光）が発光されて被写体に照射される（ステップＳ２）。
【００５０】
すると、この光照射部１４ａによって赤外光（非可視光）が照射された状態での被写体の光学画像が撮像部１４のＣＣＤにより撮像されると共にその画像データがＲＡＭ１３に一時記憶されて画像解析され、当該撮影画像の中に撮影禁止記号メモリ１３ｂに予め記憶されている撮影禁止記号x1,x2,x3,…により構成される撮影禁止マークＸ（図３参照）などが印刷されてあるか否か判断される（ステップＳ３，Ｓ４）。
【００５１】
ここで、前記撮影画像の中に撮影禁止記号x1,x2,x3,…により構成される撮影禁止マークＸなどの存在は無いと判断されると（ステップＳ４（ＮＯ））、ＲＡＭ１３に一時記憶されている画像データから前記赤外光（非可視光）の照射に応じて画像化された部分のみの画像データ（この場合には、ノイズ画像など）が削除される（ステップＳ５）。
【００５２】
そして、前記ＲＡＭ１３内に一時記憶されていた不要なノイズ画像除去後の撮影画像データは画像メモリ１４ｂへ転送されて記憶され、所望の被写体の１枚の撮影処理が終了される（ステップＳ６）。
【００５３】
一方、前記撮影した被写体が、例えば図３（Ｂ）（Ｃ）で示したように、特殊インクを使用した撮影禁止記号x1,x2,x3,…により構成される撮影禁止マークＸの印刷された印刷物Ｐである場合には、前記ステップＳ３，Ｓ４の処理において、当該撮影画像の中に撮影禁止記号x1,x2,x3,…により構成される撮影禁止マークＸなどの存在が有ると判断され（ステップＳ４（ＹＥＳ））、前記ＲＡＭ１３内に一時記憶されていた撮影画像データが消去されて撮影禁止処理が実行される（ステップＳ７）。
【００５４】
なお、この撮影禁止処理（ステップＳ７）では、単に撮影画像データの強制消去をしてその撮影を禁止するのでなく、当該カメラ装置１０のユーザに対して撮影禁止の警告メッセージを表示して報知した後に、ユーザ判断により前記撮影画像データを消去するか、または画像メモリ１４ｂに記憶させるかを選択できる構成としてもよい。
【００５５】
したがって、前記構成による第１実施形態のデジタルカメラ装置１０によれば、赤外光（または紫外光）などの特殊光（非可視光）に反射して認識可能となる特殊インクにより、撮影禁止記号x1,x2,x3,…からなる撮影禁止マークＸを印刷した書籍などの印刷物（頁）Ｐを撮影対象（被写体）として撮影操作すると、光照射部１４ａにより特殊光を照射して撮像部１４により撮像された画像データが解析されて当該画像データの中に撮影禁止記号x1,x2,x3,…の印刷があることが判断され、この場合には前記撮像された画像データは消去されて撮影禁止処理されるので、書籍毎、頁毎、記事毎などの撮影対象となり得る部分毎に撮影禁止制御してデジタル万引きなどの違法な撮影を防止することができる。
【００５６】
なお、前記第１実施形態において記載したデジタルカメラ装置１０による各処理の手法、すなわち、図４のフローチャートに示す撮影制御処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１８ａに格納して配布することができる。そして、デジタルカメラ機能を備えた種々のコンピュータ端末は、この外部記録媒体１８ａに記憶されたプログラムを記憶媒体読み書き部１８によって記憶装置１２に読み込み、この読み込んだプログラムによって動作が制御されることにより、前記第１実施形態において説明した撮影制御機能を実現し、前述した手法による同様の処理を実行することができる。
【００５７】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ２１）の記憶装置２２から前記のプログラムデータを取り込み、前述した撮影制御機能を実現することもできる。
【００５８】
なお、前記第１実施形態のデジタルカメラ装置１０では、可視光では認識できない（認識し難い場合も含む）撮影禁止記号x1,x2,x3,…が印刷された書籍などの印刷物Ｐについて、デジタルカメラ装置１０により特殊光を照射して撮影対象とすると、撮像部１４にて撮像されている画像から前記撮影禁止記号x1,x2,x3,…が認識され、当該撮像中の画像データの取り込みが阻止されて撮影禁止処理される構成とし、違法な撮影を防止するものとしたが、次の第２実施形態の違法撮影防止システムにて説明するように、前記特殊光に反射し可視光では認識できない複数種類のマークｎ（図６、図７参照）を撮影禁止用のマーク＜２＞としてだけでなく各種課金用のマーク＜１＞＜３＞として書籍などの印刷物Ｐの必要箇所に印刷しておき、この各種のマーク＜１＞〜＜３＞の何れかがデジタルカメラ装置１０の撮影対象として撮像された場合に、撮影禁止用マーク＜２＞であれば撮影禁止処理を行い、各種課金用マーク＜１＞＜３＞であれば、当該カメラＩＤと共にその課金情報を店舗側ＥＣＲに無線送信し、当該ＥＣＲでのレジ処理に際して各カメラＩＤ毎の課金情報に基づきレジ精算を実施する構成とすることで、違法な撮影を防止するものとしてもよい。
【００５９】
（第２実施形態）
本発明の第２実施形態に係る違法撮影防止システムは、各個人ユーザが所有するデジタルカメラ装置１０と書籍などを販売する店舗側ＥＣＲ(Electric Cash Register)（図８参照）とを組み合わせたシステムであり、デジタルカメラ装置１０の電子回路の構成については、前記第１実施形態におけるデジタルカメラ装置１０と略同様であり、異なる部分についてのみ説明する。
【００６０】
図５は、本発明の第２実施形態に係る違法撮影防止システムにおけるデジタルカメラ装置１０のＲＡＭ１３に確保されるデータメモリを示す図である。
【００６１】
この違法撮影防止システムにおけるデジタルカメラ装置１０のＲＡＭ１３には、撮影モードメモリ１３Ａ、マーク管理情報メモリ１３Ｂが備えられる。
【００６２】
撮影モードメモリ１３Ａには、入力部１６によるユーザ操作に応じて設定される各種撮影モード（書籍撮影、自動撮影、近接撮影、動体撮影など）の設定データが記憶される。このデジタルカメラ装置１０において書籍撮影モードに設定すると、シャッタ音の発生が阻止されると共に、書籍撮影に伴う各種のマーク＜１＞〜＜３＞（図６、図７参照）の検出に伴い撮影禁止処理や課金処理が実行される。
【００６３】
図６は、本発明の第２実施形態に係る違法撮影防止システムにおけるデジタルカメラ装置１０のＲＡＭ１３に確保されたマーク管理情報メモリ１３Ｂを示す図である。
【００６４】
このマーク管理情報メモリ１３Ｂには、デジタルカメラ装置１０による撮影制御の対象となる書籍などの印刷物（頁）Ｐに対して特殊光（赤外光，紫外光などの非可視光）に反射する特殊インクを用いて印刷される複数種類のマーク＜１＞＜２＞…（図７参照）が、それぞれそのマーク１単位のパターンデータとして記憶されると共に、この複数種類の撮影制御用のマーク＜１＞＜２＞…にそれぞれ対応付けて、当該マークを印刷使用している書籍の出版社と著作者、そしてその撮影制御の種別（課金１０円／撮影禁止／課金５円／…など）が記憶管理される。
【００６５】
図７は、本発明の第２実施形態に係る違法撮影防止システムに関し、前記マーク管理情報メモリ１３Ｂにて記憶管理される撮影制御用のマーク＜１＞＜２＞＜３＞それぞれの書籍頁（Ｐ）に対する印刷例を示す図である。
【００６６】
すなわち、前記マーク管理情報メモリ１３Ｂにて記憶管理された各マークの制御情報に従って、例えば図７（Ａ）に示すように、マーク＜１＞を頁全体に印刷した場合には、当該頁全体の撮影が課金対象（１０円）となり、この第２実施形態の違法撮影防止システムでは、デジタルカメラ装置１０による撮影に伴いＡ出版社に対して支払いが発生するよう制御される。
【００６７】
また、例えば図７（Ｂ）に示すように、マーク＜２＞を頁内の特定の記事部分に印刷した場合には、当該記事部分の撮影が禁止となり、この第２実施形態の違法撮影防止システムでは、デジタルカメラ装置１０による撮影に伴いその撮影は禁止制御される。
【００６８】
また、例えば図７（Ｃ）に示すように、マーク＜３＞を頁内の特定の画像部分に印刷した場合には、当該画像部分の撮影が課金対象（５円）となり、この第２実施形態の違法撮影防止システムでは、デジタルカメラ装置１０による撮影に伴い著作者のＢ氏に対して支払いが発生するよう制御される。
【００６９】
図８は、本発明の第２実施形態に係る違法撮影防止システムにおける店舗側ＥＣＲ３０の電子回路の構成を示すブロック図である。
【００７０】
この店舗側ＥＣＲ３０は、前記デジタルカメラ装置１０とBluetoothなどによって近距離無線通信可能なＰＣ（Personal Computer）２０を主体として構成されるもので、制御部（ＣＰＵ）３１、記憶装置３２、入力部３３、音声入力部３４、表示部３５、報音部３６、通信制御部３７を備え、バス（Ｂｕｓ）を介して相互に接続される。
【００７１】
制御部（ＣＰＵ）３１は、入力部３３、音声入力部３４からの入力信号や通信制御部３７により受信した前記デジタルカメラ装置１０からの通信信号に応じて、記憶装置３２内のＲＯＭに予め記憶されているＥＣＲ制御プログラムを起動させ、同記憶装置３２内のＲＡＭをワークメモリとして回路各部の動作を制御する。
【００７２】
記憶装置３２は、本ＥＣＲ３０の電源投入直後に制御部（ＣＰＵ）３１により読み出される前述のＥＣＲ制御プログラムを予め記憶している他に、前記デジタルカメラ装置１０と連携して違法撮影防止システムとして機能させるための各種作業用メモリを備えている。
【００７３】
図９は、前記店舗側ＥＣＲ３０の記憶装置３２に備えられる各種作業用メモリの内容を示す図である。
【００７４】
この記憶装置３２に備えられる各種の作業用メモリとしては、課金情報メモリ３２ａ、レジ金額メモリ３２ｂ、計時メモリ３２ｃ、課金情報集計メモリ３２ｄなどが備えられる。
【００７５】
課金情報メモリ３２ａには、前記デジタルカメラ装置１０により撮像された画像データから前記課金用制御情報としてのマーク（＜１＞＜３＞など）が検出された際に当該デジタルカメラ装置１０からの無線通信により受信されたカメラＩＤと検出マークに応じた課金情報とが対応付けられて記憶される。
【００７６】
レジ金額メモリ３２ｂには、前記デジタルカメラ装置１０での店舗内書籍などの撮影後において、そのカメラＩＤが入力部３３から入力されるのに伴い前記課金情報メモリ３２ａから該入力カメラＩＤに応じて読み出された課金情報の合計金額（レジ金額）が記憶される。
【００７７】
計時メモリ３２ｃには、制御部（ＣＰＵ）３１により発生されるクロック信号に基づき計時される現在の年月日時刻が逐次更新されながら記憶される。
【００７８】
課金情報集計メモリ３２ｄには、前記計時メモリ３２ｃにより得られる現在の年月日時刻に基づき例えばその月末の都度、前記課金情報メモリ３２ａに記憶されている各課金情報に従い集計された各課金支払先への精算金額が記憶される。
【００７９】
音声入力部３４は、店舗内の音声を常時入力すると共に、この入力音声データを解析してカメラによるシャッタ音を検出する。
【００８０】
報音部３６は、前記音声入力部３４により入力されている店舗内音声においてカメラシャッタ音が検出された場合に、当該店舗の店主に対し店舗内にて違法撮影が行われている可能性のあることを音声メッセージなどにより報音して通報する。
【００８１】
通信制御部３７は、Bluetoothなどの近距離無線通信手段によって構成され、デジタルカメラ装置１０の通信制御部１９との間でデータ通信を行う。
【００８２】
このように構成されたデジタルカメラ装置１０および店舗側ＥＣＲ３０からなる違法撮影防止システムでは、店舗内でのカメラシャッタ音が音声入力部３４から入力されて検出された場合には、報音部３６により店舗内にて違法撮影が行われている可能性のあることが音声メッセージなどにより報音通報される。
【００８３】
また、デジタルカメラ装置１０により該当店舗内の書籍などを撮影対象として撮像された画像データから、例えば撮影禁止用のマーク＜２＞が検出された場合には、その撮像データは画像メモリ１４ｂへ記憶保存されることなく消去（破棄）される。
【００８４】
また、デジタルカメラ装置１０により撮像された画像データから、例えば課金用のマーク（＜１＞＜３＞など）が検出された場合には、当該カメラＩＤと検出マークに応じた課金情報とが店舗側ＥＣＲ３０へ無線通知されて課金情報メモリ３２ａに記憶される。そして、店舗側ＥＣＲ３０においてカメラＩＤを入力すると、当該入力されたカメラＩＤに対応付けられて課金情報メモリ３２ａに記憶されている各課金情報が読み出されてレジ金額として加算され、対応するカメラユーザへ提示（表示）され精算が図られる。
【００８５】
これにより、店舗内でのカメラシャッタ音の監視を行うだけでなく、書籍毎、頁毎、記事毎などの撮影対象となり得る部分毎に撮像を禁止する制御や撮影に課金する制御などを行い、デジタル万引きなどの違法な撮影を防止することができる。
【００８６】
次に、前記第２実施形態の構成によるデジタルカメラ装置１０および店舗側ＥＣＲ３０からなる違法撮影防止システムの詳細な動作について説明する。
【００８７】
図１０は、前記違法撮影防止システムによる違法撮影防止機能を示すフローチャートであり、同図（Ａ）はそのデジタルカメラ処理を示すフローチャート、同図（Ｂ）はその店舗側ＥＣＲ課金処理を示すフローチャートである。
【００８８】
まず、デジタルカメラ装置１０では、例えば書籍店舗での撮影禁止制御や課金制御を希望する場合、予め入力部１６の操作により書籍撮影モードを設定しておく。
【００８９】
デジタルカメラ装置１０において、入力部１６のシャッタ操作が判断されると（ステップＡ１）、ＲＡＭ１３内の撮影モードメモリ１３Ａにて書籍撮影モードのモードデータが記憶設定されているか否か判断される（ステップＡ２）。
【００９０】
このステップＡ２において、前記ＲＡＭ１３内の撮影モードメモリ１３Ａには書籍撮影モードのモードデータが記憶設定されてなくそれ以外の通常の撮影モードであると判断されると（ステップＡ２（ＮＯ））、音発生部１７によりシャッタ音が発生され鳴動されると共に（ステップＡ３）、前記シャッタ操作に伴い撮像部１４にて撮像された被写体の画像データが画像メモリ１４ｂに記憶保存されて通常撮影処理される（ステップＡ４）。
【００９１】
なお、このデジタルカメラ装置１０による書籍撮影モードを設定しない状態での通常撮影処理が、本実施形態の違法撮影防止システムを備えた書籍店舗内で行われた場合には、当該デジタルカメラ装置１０により発生されたシャッタ音は、店舗側ＥＣＲ３０の音声入力部３４に入力されて検出される（ステップＢ１）。
【００９２】
この場合、店舗側ＥＣＲ３０では、報音部３６により店舗内にて違法撮影が行われている可能性のあることが音声メッセージなどにより報音され、店舗の店主に対して通報される（ステップＢ２）。
【００９３】
これにより、例えば書籍店舗では当該店舗内でのカメラシャッタ音を常時監視することができ、顧客により書籍などが違法撮影されて持ち出されるのを注意して防止できるようになる。
【００９４】
一方、前記デジタルカメラ装置１０によるシャッタ操作に伴い、ＲＡＭ１３内の撮影モードメモリ１３Ａに書籍撮影モードのモードデータが記憶設定されていると判断された場合には（ステップＡ２（ＹＥＳ））、被写体に対して光照射部１４ａにより特殊光（赤外光や紫外光などの非可視光）が照射されると共に（ステップＡ５）、この特殊光の照射状態で撮像部１４により撮像されている画像データが解析処理される（ステップＡ６，Ａ７）。
【００９５】
そして、前記撮像部１４において撮像中の画像データの中に記憶装置１２内のマーク管理情報メモリ１３Ｂ（図６、図７参照）にて記憶管理されている複数種類のマーク＜１＞＜２＞…の何れかが検出されるか否か判断される（ステップＡ８）。
【００９６】
ここで、このデジタルカメラ装置１０による被写体が書籍の頁であり、撮像中の画像データの中から例えば図７（Ｂ）で示したように撮影禁止用のマーク＜２＞が検出された場合には（ステップＡ９（ＹＥＳ））、当該画像データのうち撮影禁止用マーク＜２＞の検出部分に対応する画像データが消去（破棄）された後（ステップＡ１０）、該マーク＜２＞が存在しない部分の撮像された画像データが画像メモリ１４ｂに記憶保存される（ステップＡ１３）。
【００９７】
これにより、例えば書籍の頁の撮影による持ち出しを当該頁内の部分的な領域を対象にして禁止処理することができ、顧客による書籍頁の違法撮影を防止できるようになる。なお、前記撮像された書籍の頁の全体から撮影禁止用マーク＜２＞が検出された場合には、これに対応した頁画像データの全体が消去（破棄）されるので、画像メモリ１４ｂには実質何の画像データも記憶保存されない。
【００９８】
一方、前記ステップＡ８において、このデジタルカメラ装置１０による被写体が書籍の頁であり、撮像中の画像データの中から例えば図７（Ａ）で示したように課金用のマーク＜１＞が検出された場合には（ステップＡ９→Ａ１１（ＹＥＳ））、記憶装置１２に記憶されたカメラＩＤと共に当該課金用マーク＜１＞に対応付けられてマーク管理情報メモリ１３Ｂにて記憶管理されている課金情報（Ａ出版／課金１０円）が読み出されて通信制御部１９から店舗側ＥＣＲ３０へ送信通知される（ステップＡ１２）。
【００９９】
そして、前記撮像中の画像データから前記特殊光（非可視光）の照射に応じて画像化された部分のみの画像データ（この場合には、マーク＜１＞）が削除され（ステップＡ１３）、このマーク＜１＞削除後の撮影画像データが画像メモリ１４ｂに記憶保存される（ステップＡ１４）。
【０１００】
店舗側ＥＣＲ３０において、前記デジタルカメラ装置１０から送信されたカメラＩＤを伴う課金用マーク＜１＞対応の課金情報（Ａ出版／課金１０円）が受信されると（ステップＢ３）、この受信された課金情報は該カメラＩＤと共に記憶装置３２内の課金情報メモリ３２ａに記憶される（ステップＢ４）。
【０１０１】
さらに、この後の同一店舗内の同一のデジタルカメラ装置１０による別の被写体が他の書籍の頁であり、撮像中の画像データの中から例えば図７（Ｃ）で示したように課金用のマーク＜３＞が検出された場合には（ステップＡ８→Ａ９→Ａ１１（ＹＥＳ））、記憶装置１２に記憶されたカメラＩＤと共に当該課金用マーク＜３＞に対応付けられてマーク管理情報メモリ１３Ｂにて記憶管理されている課金情報（Ｂ氏／課金５円）が読み出されて通信制御部１９から店舗側ＥＣＲ３０へ送信通知される（ステップＡ１２）。
【０１０２】
そして、前記撮像中の画像データから前記特殊光（非可視光）の照射に応じて画像化された部分のみの画像データ（この場合には、マーク＜３＞）が削除され（ステップＡ１３）、このマーク＜３＞削除後の撮影画像データが画像メモリ１４ｂに記憶保存される（ステップＡ１４）。
【０１０３】
店舗側ＥＣＲ３０において、前記デジタルカメラ装置１０から送信されたカメラＩＤを伴う課金用マーク＜３＞対応の課金情報（Ｂ氏／課金５円）が受信されると（ステップＢ３）、この受信された課金情報は該カメラＩＤと共に記憶装置３２内の課金情報メモリ３２ａに追加記憶される（ステップＢ４）。
【０１０４】
そして、前記デジタルカメラ装置１０のユーザが店舗から退店する際の店舗側ＥＣＲ３０によるレジ処理において（ステップＢ５）、入力部３３によりユーザ所有のデジタルカメラ装置１０のカメラＩＤを入力すると（ステップＢ６）、このカメラＩＤに対応付けられて記憶装置３２内の課金情報メモリ３２ａに記憶されている各課金情報（この場合には、「Ａ出版／課金１０円」と「Ｂ氏／課金５円」）に基づき、その累積合計額（１５円）がレジ金額とされ表示部３５に表示される（ステップＢ７）。
【０１０５】
これにより、デジタルカメラ装置１０による例えば書籍の頁の撮影に対しては、その頁内の必要部分に特殊インクにより印刷された課金制御用のマーク＜１＞＜３＞…が検出されることで、当該検出マークに対応する課金情報がカメラＩＤと共に店舗用ＥＣＲ３０に送信され、レジ処理に際してのカメラＩＤの入力によって対応する課金情報からレジ金額が算出されて提示されるので、販売書籍の内容が代金の支払いを受けずにカメラ撮影によって持ち出されてしまうことなく、頁の全体あるいは部分単位で課金処理することができ、顧客による販売書籍の違法撮影を防止できるようになる。
【０１０６】
図１１は、前記違法撮影防止システムの店舗側ＥＣＲ３０による課金集計処理を示すフローチャートである。
【０１０７】
この課金集計処理は、記憶装置３２の計時メモリ３２ｃにて更新記憶される現在の年月日時刻が月末になる毎に起動されるもので（ステップＣ１）、前記課金情報メモリ３２ａに記憶されている各課金情報が読み出され、該各課金情報それぞれの支払先である出版社毎、著作者毎に、その課金の金額が累積集計されて表示部３５に表示される。
【０１０８】
これにより、前記違法撮影防止システムを備えた店舗側ＥＣＲ３０では、当月の一ヶ月間で得られた店舗内での複数の顧客のデジタルカメラ装置１０…による販売書籍の撮影に応じた課金の金額がその支払先毎に自動集計されるようになり、その支払い処理を容易に行うことができるようになる。
【０１０９】
なお、前記各実施形態では、非可視光である特殊光に反射する特殊インクを使用して書籍などの印刷物Ｐに印刷された撮影禁止記号x1,x2,x3,…や撮影制御用のマーク＜１＞＜２＞…を、当該印刷物Ｐの撮影に際して特殊光を照射して撮像検出し、この撮像された画像データを保存する場合は、前記特殊光照射により撮像検出された記号やマークを削除して画像メモリに保存する構成としたが、撮像部１４において通常の可視光画像を撮像する通常撮像素子と前記特殊光による非可視光画像のみを撮像する特殊撮像素子とを設け、特殊撮像素子による撮像画像のみから記号やマークを検出すると共に、通常撮像素子により撮像された画像データのみを画像メモリに保存する構成としてもよい。また、非可視光である特殊光を可視光に変換して反射する特殊インクを使用して前記撮影禁止記号x1,x2,x3,…や撮影制御用のマーク＜１＞＜２＞…を印刷物Ｐに印刷し、まずは特殊光のみを照射して記号やマーク検出のための撮像を行った後に、特殊光の照射を停止して前記印刷物Ｐ本来の印刷画像を撮像する構成としてもよい。
【０１１０】
また、前記各実施形態におけるデジタルカメラ装置１０は、カメラ専用機であってもよいし、携帯電話や携帯端末に搭載されたものであってもよいのは勿論である。
【０１１１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１１２】
【図１】本発明の第１実施形態に係るデジタルカメラ装置１０の電子回路の構成を示すブロック図。
【図２】第１実施形態のデジタルカメラ装置１０のＲＡＭ１３に確保されるデータメモリを示す図。
【図３】前記第１実施形態のデジタルカメラ装置１０での撮影によってその撮影機能が制限される撮影禁止記号ｘを説明するための図であり、同図（Ａ）は印刷物Ｐを示す図、同図（Ｂ）は印刷物Ｐ上に特殊インクで印刷された撮影禁止マークＸを示す図、同図（Ｃ）は撮影禁止マークＸを構成する撮影禁止記号ｘｎを示す図。
【図４】前記第１実施形態のデジタルカメラ装置１０による撮影制御処理を示すフローチャート。
【図５】本発明の第２実施形態に係る違法撮影防止システムにおけるデジタルカメラ装置１０のＲＡＭ１３に確保されるデータメモリを示す図。
【図６】本発明の第２実施形態に係る違法撮影防止システムにおけるデジタルカメラ装置１０のＲＡＭ１３に確保されたマーク管理情報メモリ１３Ｂを示す図。
【図７】本発明の第２実施形態に係る違法撮影防止システムに関し、前記マーク管理情報メモリ１３Ｂにて記憶管理される撮影制御用のマーク＜１＞＜２＞＜３＞それぞれの書籍頁（Ｐ）に対する印刷例を示す図。
【図８】本発明の第２実施形態に係る違法撮影防止システムにおける店舗側ＥＣＲ３０の電子回路の構成を示すブロック図。
【図９】前記店舗側ＥＣＲ３０の記憶装置３２に備えられる各種作業用メモリの内容を示す図。
【図１０】前記違法撮影防止システムによる違法撮影防止機能を示すフローチャートであり、同図（Ａ）はそのデジタルカメラ処理を示すフローチャート、同図（Ｂ）はその店舗側ＥＣＲ課金処理を示すフローチャート。
【図１１】前記違法撮影防止システムの店舗側ＥＣＲ３０による課金集計処理を示すフローチャート。
【符号の説明】
【０１１３】
１０  …デジタルカメラ装置
１１  …制御部（ＣＰＵ）（デジタルカメラ）
１２  …記憶装置（デジタルカメラ）
１３  …ＲＡＭ（デジタルカメラ）
１３ａ…撮影モードメモリ（第１実施形態）
１３ｂ…撮影禁止記号メモリ（第１実施形態）
１３Ａ…撮影モードメモリ（第２実施形態）
１３Ｂ…マーク管理情報メモリ（第２実施形態）
１４  …撮像部
１４ａ…光照射部
１４ｂ…画像メモリ
１５  …表示部（デジタルカメラ）
１６  …入力部（デジタルカメラ）
１７  …音発生部
１８  …記憶媒体読み書き部
１８ａ…外部記憶媒体
１９  …通信制御部（デジタルカメラ）
２０  …ＰＣ(Personal computer)
２１  …プログラムサーバ
２２  …サーバ記憶装置
Ｎ  …ネットワーク
Ｐ  …印刷物
x1,x2,…撮影禁止記号
Ｘ  …撮影禁止マーク
３０  …店舗側ＥＣＲ
３１  …制御部（ＣＰＵ）（店舗側ＥＣＲ）
３２  …記憶装置（店舗側ＥＣＲ）
３２ａ…課金情報メモリ
３２ｂ…レジ金額メモリ
３２ｃ…計時メモリ
３２ｄ…課金情報集計メモリ
３３  …入力部（店舗側ＥＣＲ）
３４  …音声入力部
３５  …表示部（店舗側ＥＣＲ）
３６  …報音部
３７  …通信制御部（店舗側ＥＣＲ）
【図１】
2006074211.tif 000003
【図２】
2006074211.tif 000004
【図３】
2006074211.tif 000005
【図４】
2006074211.tif 000006
【図５】
2006074211.tif 000007
【図６】
2006074211.tif 000008
【図７】
2006074211.tif 000009
【図８】
2006074211.tif 000010
【図９】
2006074211.tif 000011
【図１０】
2006074211.tif 000012
【図１１】
2006074211.tif 000013